(57)【特許請求の範囲】
【請求項１】
第１の無線アクセス技術（ＲＡＴ）を使用して動作する第１の無線アクセスネットワーク（ＲＡＮ）から、第２のＲＡＴを使用して動作する第２のＲＡＮへのモビリティに対するセルラー通信システムの無線通信デバイスの方法であって、
前記第１のＲＡＴは、第１の周波数割り当てによる同期信号を有し、前記第２のＲＡＴは、第２の周波数割り当てによる同期信号を有し、前記第１の周波数割り当てと前記第２の周波数割り当ては、それぞれのネットワーク周波数との関連で異なり、前記方法は、
前記第１のＲＡＴのネットワークノードから前記第２のＲＡＴの前記同期信号についての割り当て情報を含む無線リソース制御（ＲＲＣ）メッセージを受信することと、
前記割り当て情報に基づいて前記第２のＲＡＴの同期信号の検出を行うことと、
前記第２のＲＡＴにおける同期が成功すると、前記第２のＲＡＴの前記同期信号についての実際の割り当て情報を決定することであって、前記割り当て情報は、前記第２のＲＡＴに対する前記ネットワーク周波数との関連での同期信号周波数に対する周波数オフセットを含む、前記第２のＲＡＴの前記同期信号についての割り当て情報を決定することと、
前記第１のＲＡＴのネットワークノード、または前記ネットワークノードの隣接するネットワークノードに、前記第２のＲＡＴの前記同期信号の前記割り当て情報についての前記情報を含む、成功した前記同期が行われた前記第２のＲＡＴについての情報を送信することと、を含む、方法。
【請求項２】
前記同期信号検出を行うことは、同期信号が受信帯域幅に含まれるように前記同期信号の前記周波数割り当てに基づいて受信側周波数を変更することと、同期信号を前記受信帯域幅内で監視することと、同期信号が発見されると前記同期信号を復号することと、を含む、請求項１に記載の方法。
【請求項３】
同期信号検出を行った後に、前記受信側周波数を決定された前記ネットワーク周波数に同調させることを含む、請求項２に記載の方法。
【請求項４】
セルラー通信システムにおいて動作するように構成され、第１の無線アクセス技術（ＲＡＴ）を使用して動作する第１の無線アクセスネットワーク（ＲＡＮ）から、第２のＲＡＴを使用して動作する第２のＲＡＮへのモビリティを可能にする無線通信デバイスであって、
前記第１のＲＡＴは第１の周波数割り当てによる同期信号を有し、前記第２のＲＡＴは第２の周波数割り当てによる同期信号を有し、前記第１の周波数割り当てと前記第２の周波数割り当ては、それぞれのネットワーク周波数との関連で異なり、
前記無線通信デバイスは、トランシーバおよびコントローラを含み、
前記トランシーバは、前記第１のＲＡＴのネットワークノードから前記第２のＲＡＴの前記同期信号についての割り当て情報を含む無線リソース制御（ＲＲＣ）メッセージを受信するように構成され、
前記コントローラは、前記トランシーバに、前記割り当て情報に基づいて前記第２のＲＡＴの同期信号の検出を行わせるように構成され、
前記無線通信デバイスは、
前記第２のＲＡＴにおける同期が成功すると、前記第２のＲＡＴの前記同期信号についての実際の割り当て情報を決定することであって、前記割り当て情報は、前記第２のＲＡＴに対する前記ネットワーク周波数との関連での同期信号周波数に対する周波数オフセットを含む、前記第２のＲＡＴの前記同期信号についての割り当て情報を決定し、
前記第１のＲＡＴのネットワークノード、または前記ネットワークノードの隣接するネットワークノードに、前記第２のＲＡＴの前記同期信号の前記割り当て情報についての情報を含む前記第２のＲＡＴについての情報を送信するように構成される、無線通信デバイス。
【請求項５】
同期信号が受信帯域幅に含まれるように前記同期信号の前記周波数割り当てに基づいて前記トランシーバの受信側周波数を変更し、同期信号を前記受信帯域幅内で監視し、同期信号が発見されると、システムネットワークアクセスシグナリング伝送の残りの同期信号を復号するように構成されることによって、前記同期信号検出を行うように構成される、請求項４に記載の無線通信デバイス。
【請求項６】
同期信号検出を行った後に、前記トランシーバの前記受信側周波数を決定された前記ネットワーク周波数に同調させるように構成される、請求項５に記載の無線通信デバイス。
【請求項７】
第１の無線アクセス技術（ＲＡＴ）を使用して動作する第１の無線アクセスネットワーク（ＲＡＮ）から、第２のＲＡＴを使用して動作する第２のＲＡＮへのモビリティに対するセルラー通信システムのネットワークノードの方法であって、
前記第１のＲＡＴは第１の周波数割り当てによる同期信号を有し、前記第２のＲＡＴは、第２の周波数割り当てによる同期信号を有し、前記第１の周波数割り当てと前記第２の周波数割り当ては、それぞれのネットワーク周波数との関連で異なり、前記方法は、
前記第２のＲＡＴの前記同期信号についての割り当て情報を決定することと、
前記第２のＲＡＴの前記同期信号についての前記割り当て情報を含む無線リソース制御（ＲＲＣ）メッセージを送信することと、を含み、
前記第２のＲＡＴの前記同期信号についての前記割り当て情報を決定することは、前記セルラー通信システムにおいて動作する他の無線デバイスからシグナリングを通して、前記第２のＲＡＴについての情報を取得することと、前記第２のＲＡＴについての前記情報から、前記第２のＲＡＴの前記同期信号の前記割り当て情報についての情報を抽出することとを含み、前記割り当て情報は、前記第２のＲＡＴに対する前記ネットワーク周波数との関連での同期信号周波数に対する周波数オフセットを含む、方法。
【請求項８】
第１の無線アクセス技術（ＲＡＴ）を使用して動作する第１の無線アクセスネットワーク（ＲＡＮ）から、第２のＲＡＴを使用して動作する第２のＲＡＮへのモビリティに対するセルラー通信システムのネットワークノードの方法であって、
前記第１のＲＡＴは第１の周波数割り当てによる同期信号を有し、前記第２のＲＡＴは第２の周波数割り当てによる同期信号を有し、前記第１の周波数割り当てと前記第２の周波数割り当ては、それぞれのネットワーク周波数との関連で異なり、前記方法は、
前記第２のＲＡＴの前記同期信号についての割り当て情報を決定することと、
前記第２のＲＡＴの前記同期信号についての前記割り当て情報を含む無線リソース制御（ＲＲＣ）メッセージを送信することと、を含み、
前記第２のＲＡＴの前記同期信号についての前記割り当て情報を決定することは、前記セルラー通信システムからシグナリングを通して、前記第２のＲＡＴについての情報を受信することと、前記第２のＲＡＴについての前記情報から、前記第２のＲＡＴの前記同期信号の前記割り当て情報についての情報を抽出することとを含み、前記割り当て情報は、前記第２のＲＡＴに対する前記ネットワーク周波数との関連での同期信号周波数に対する周波数オフセットを含む、方法。
【請求項９】
前記第２のＲＡＴの前記同期信号についての前記割り当て情報を決定することは、前記第２のＲＡＴの前記同期信号についての可能性がある割り当て情報を推定することを含む、請求項７または８に記載の方法。
【請求項１０】
セルラー通信システムにおいて動作するように構成され、第１の無線アクセス技術（ＲＡＴ）から第２のＲＡＴへのハンドオーバを支援することが可能なネットワークノードであって、
前記第２のＲＡＴは、前記第２のＲＡＴに対するネットワーク周波数との関連での周波数割り当てによる同期信号を有し、前記ネットワークノードは、トランシーバおよびコントローラを含み、前記コントローラは、前記第２のＲＡＴの前記同期信号についての割り当て情報を決定するように構成され、前記トランシーバは、前記第２のＲＡＴの前記同期信号についての前記割り当て情報を含む無線リソース制御（ＲＲＣ）メッセージを送信するように構成され、前記第２のＲＡＴの前記同期信号についての前記割り当て情報を決定することは、前記トランシーバが、前記セルラー通信システムにおいて動作する他の無線デバイスからシグナリングを通して、前記第２のＲＡＴについての情報を取得するように構成され、前記コントローラが、前記第２のＲＡＴについての前記情報から、前記第２のＲＡＴの前記同期信号の前記割り当て情報についての情報を抽出するように構成されることを含み、前記割り当て情報は、前記第２のＲＡＴに対する前記ネットワーク周波数との関連での同期信号周波数に対する周波数オフセットを含む、ネットワークノード。
【請求項１１】
セルラー通信システムにおいて動作するように構成され、第１の無線アクセス技術（ＲＡＴ）から第２のＲＡＴへのハンドオーバを支援することが可能なネットワークノードであって、
前記第２のＲＡＴは、前記第２のＲＡＴに対するネットワーク周波数との関連での周波数割り当てによる同期信号を有し、前記ネットワークノードは、トランシーバおよびコントローラを含み、前記コントローラは、前記第２のＲＡＴの前記同期信号についての割り当て情報を決定するように構成され、前記トランシーバは、前記第２のＲＡＴの前記同期信号についての前記割り当て情報を含む無線リソース制御（ＲＲＣ）メッセージを送信するように構成され、前記第２のＲＡＴの前記同期信号についての前記割り当て情報を決定することは、前記ネットワークノードのインターフェースが、前記セルラー通信システムからシグナリングを通して、前記第２のＲＡＴについての情報を受信するように構成され、前記コントローラが、前記第２のＲＡＴについての前記情報から、前記第２のＲＡＴの前記同期信号の前記割り当て情報についての情報を抽出するように構成されることを含み、前記割り当て情報は、前記第２のＲＡＴに対する前記ネットワーク周波数との関連での同期信号周波数に対する周波数オフセットを含む、ネットワークノード。
【請求項１２】
前記第２のＲＡＴの前記同期信号についての前記割り当て情報を決定することは、前記コントローラが、前記第２のＲＡＴの前記同期信号についての可能性がある割り当て情報を推定するように構成されることを含む、請求項１０または１１に記載のネットワークノード。
【請求項１３】
無線通信デバイスのプロセッサ上で実行される時、前記無線通信デバイスに、請求項１から３のいずれか一項に記載の方法を実行させる命令を含む、コンピュータプログラム。
【請求項１４】
ネットワークノードのプロセッサ上で実行される時、前記ネットワークノードに、請求項７から９のいずれか一項に記載の方法を実行させる命令を含む、コンピュータプログラム。
【発明の詳細な説明】
【技術分野】
【０００１】
本発明は、一般的に、無線通信デバイス、ネットワークノード、および各エンティティにおいて行われる方法、ならびに、該方法を実施するためのコンピュータプログラムに関する。詳細には、本発明は、無線アクセスネットワークによって使用されるキャリア周波数を考慮して同期信号のある特定の割り当てを有する無線アクセスネットワークの、モビリティの目的で、無線通信デバイスが同期信号を発見することを支援することに関する。
【背景技術】
【０００２】
同期信号は、例えば、ユーザ機器（ＵＥ）と称される、セルラー通信システムにおいて動作する無線通信デバイスが、例えば、アクセスネットワークノード、または無線アクセスネットワーク（ＲＡＮ）の単なるネットワークノードと称される、基地局またはアクセスポイントに対する正確な時間および周波数を発見できるようにするために存在する。同期信号は通常、例えば、第３世代パートナーシッププロジェクト（３ＧＰＰ）Ｌｏｎｇ−Ｔｅｒｍ  Ｅｖｏｌｕｔｉｏｎ（ＬＴＥ）システムに対して５ｍｓごとに定期的に送信されるが、来るべきシステム、例えば、３ＧＰＰ新無線（ＮＲ）システムにおいてより長くなる、例えば、初期アクセスに対して２０ｍｓになる可能性があるが、他のシステムおよび／または状況は、さらに期間が長くなる、例えば、最高１６０ｍｓまでになる場合があることが予想されている。上記のような異なるシステムは、異なる無線アクセス技術（ＲＡＴ）を使用することが考慮される。広帯域符号分割多元接続（ＷＣＤＭＡ）は、セルラー通信のためのＲＡＴの別の例である。ＮＲ同期プロセスは、２つの段階に分割され、ここで、第１の段階は時間および大まかな周波数制御を達成し、第２の段階はより精細な周波数制御をもたらす。一次同期信号および二次同期信号（ＰＳＳ／ＳＳＳ）は、ＰＳＳの１つのインスタンスおよびＳＳＳの１つのインスタンスをうまく検出することによって、ＵＥが物理セル識別およびタイミングについての情報を取得し、その後、物理ブロードキャストチャネル（ＰＢＣＨ）を復号するための十分な知識を有するように自己完結的である。
【０００３】
第５世代（５Ｇ）システムとも称されるＮＲの重要な特徴は、リーンキャリアを提供することである。それは、最低でも、ブロードキャストメッセージングまたは常時接続メッセージに関するオーバーヘッドのみが送信されることを意味する。その１つの結果として、同期信号の配置および検出は、例えばＬＴＥと比較してわずかに異なるものになる。ＬＴＥにおいて、同期信号は、帯域幅の中央に対して対称的に、すなわち、ネットワーク帯域幅と相対的な位置に位置付けられ、これは、ネットワーク帯域幅を検出することが可能であるため、この中央の周波数を検出することも可能であることを含意する。これは図８に概略的に示されている。ＮＲにおいて、時間および／または周波数ごとのいくつかの同期信号のインスタンスによるリーン設計により、キャリア帯域幅を検出するために同期信号を検出する十分な信号電力がない場合がある、または長い平均化時間が必要とされることが考えられ、別のアプローチが所望される。その結果として、同期信号は、必ずしも、キャリアの中央に対称的に位置付けられなくてもよく、代わりに、表面的にはネットワーク帯域幅に対して随意の所定の絶対周波数に位置付けられてよい。さらに、ネットワークの柔軟性の理由で、いくつかの同期位置はネットワーク帯域幅内に存在してよく、設定に応じて変化する場合がある。これは図９に概略的に示されている。
【０００４】
「ネットワーク帯域幅」、「キャリア帯域幅」、「ネットワークキャリア帯域幅」、「システム帯域幅」などの用語が、本開示において区別なく使用され、かつＵＥが一時的に通信アクティビティを行うまたは行おうとする帯域幅を意味することが、留意されるべきである。同様に、「ネットワーク周波数」、「キャリア周波数」、「ネットワークキャリア周波数」、「システム周波数」などの用語は、本開示において区別なく使用され、かつＵＥが一時的に通信アクティビティを行うまたは行おうとする周波数（帯域幅内、例えば帯域幅の中央における基準）を意味する。
【０００５】
ＲＡＴ間（ＩＲＡＴ）ハンドオーバ（ＨＯ）は、アクティブモードにおいて、例えば、ＬＴＥからＮＲへ、ＵＥがＲＡＴを変更する手順である。典型的には、この手順はまた、キャリア周波数および基地局を変更することを伴う。それ故に、ＩＲＡＴ  ＨＯ手順の１つのステップは、新ＲＡＴネットワークに向けて検出しかつ同期させるために周波数を簡潔に変更することである。ＬＴＥなどのレガシー４Ｇシステムにおいて、周波数間およびＩＲＡＴモビリティ測定、ならびに、例えば、観測到達時間差（ＯＴＤＯＡ）などによる周波数間位置決めは、設定に応じて４０または８０ｍｓの周期性の６ｍｓの長さの測定ギャップで実行される。測定を簡略化するために、アクティブモードにおけるＵＥは、測定を行うのはどの周波数か、およびオプションとして検索される候補セルに関して、測定前に専用のシステム情報メッセージにおいてＩＲＡＴ情報を受信することができる。
【０００６】
ＮＲにおける同期信号は、必ずしも、キャリア周波数上のシステム帯域幅（ＢＷ）にあるものではない。これは、同期信号が常にキャリア周波数の中心にある、例えばＬＴＥでの場合のものと違う。これは、ＬＴＥまたはＷＣＤＭＡのようなシステムからＮＲへのＩＲＡＴハンドオーバ中に、ＵＥが、同期信号がシステムＢＷにおいてどこに割り当てられるかについて知らないため、マルチＲＡＴのＵＥに対する問題である場合がある。無線リソース制御（ＲＲＣ）メッセージなどのＩＲＡＴメッセージは、従来、キャリア周波数情報、および本質的にＲＡＴ指示のみで構成される。
【０００７】
米国特許出願公開第２０１３／０２０３４５２号は、無線通信ノードにシグナリング情報を提供する方法を開示している。方法は、第１のＲＡＴを使用して第１のノードと関連付けられた情報を得ることと、第２のＲＡＴを使用して第２のノードに情報を送ることとを含む。
【０００８】
米国特許出願公開第２０１４／０３４９６６４号は、物理リソースユニットを含む参照信号およびチャネルを設定することと、この設定に関する情報を同じ帯域幅を使用して別の基地局に提供することとを含む方法を開示している。
【０００９】
国際公開第２０１２／１７１２１５号パンフレットは、第１のＲＡＴと第２のＲＡＴとの間の相対的な同期情報を得る、相対的な同期情報に基づいて第２のＲＡＴのパイロット信号の時刻／場所を決定する、および、決定された時刻／場所を使用して第２のＲＡＴのパイロット信号を検索するためのアプローチを開示している。
【００１０】
シグナリングされる同期信号情報がない場合、ＵＥはリソース全体（時間および周波数）にわたって同期信号を手探りで検索する必要がある。同期時間、すなわち、ＩＲＡＴ測定からの時間は、実際のＨＯがなされ得る時にトリガされ、大幅に遅延する場合があり、これは、接続が切れる危険性がより大きくなり、遅れることで、ひいてはユーザ体感が悪化することを含意する。したがって、ＵＥが同期信号をより効率的に発見することを支援することが望ましい。
【発明の概要】
【００１１】
本発明は、柔軟なＲＡＴが柔軟性に対処することを要求するといった、本発明者らの理解に基づいている。本発明者らは、ＲＲＣメッセージが、同期信号についての割り当て情報、およびこれに対処するためのアプローチを含むべきであることを提案している。
【００１２】
第１の態様によると、第１の無線アクセス技術（ＲＡＴ）を使用して動作する第１の無線アクセスネットワーク（ＲＡＮ）から、第２のＲＡＴを使用して動作する第２のＲＡＮへのモビリティに対するセルラー通信システムの無線通信デバイスの方法が提供される。第１のＲＡＴは、第１の周波数割り当てによる同期信号を有し、第２のＲＡＴは、第２のＲＡＴに対するネットワーク周波数との関連での第２の周波数割り当てによる同期信号を有する。方法は、第２のＲＡＴの同期信号についての割り当て情報を含む無線リソース制御（ＲＲＣ）メッセージを受信することと、割り当て情報に基づいて同期信号検出を行うこととを含む。方法は、第２のＲＡＴにおける同期が成功すると、第２のＲＡＴの同期信号についての割り当て情報を決定することと、ネットワークノード、または該ネットワークノードの隣接するネットワークノードに、第２のＲＡＴの同期信号の割り当て情報についての情報を含む第２のＲＡＴについての情報を送信することとをさらに含む。
【００１３】
第１のＲＡＴおよび第２のＲＡＴは、ネットワーク周波数との関連で第２の周波数割り当てが第１の周波数割り当てと異なっている異なるアクセス技術を使用してよい。代替的には、第１のＲＡＴおよび第２のＲＡＴは、同じアクセス技術を使用してよいが、ネットワーク周波数との関連で第２の周波数割り当ては第１の周波数割り当てと異なっている。
【００１４】
割り当て情報は、同期信号についての特有の周波数情報を含んでよい。代替的には、割り当て情報は、ネットワーク周波数との関連での同期信号周波数に対する周波数オフセットを含んでよい。
【００１５】
ＲＲＣメッセージは、ＲＡＴ間測定または周波数間測定を設定するＭｅａｓＣｏｎｆｉｇを含むＲＲＣＣｏｎｎｅｃｔｉｏｎＲｅｃｏｎｆｉｇｕｒａｔｉｏｎメッセージ、およびｒｅｄｉｒｅｃｔｅｄＣａｒｒｉｅｒＩｎｆｏまたはｉｄｌｅＭｏｄｅＭｏｂｉｌｉｔｙＣｏｎｔｒｏｌＩｎｆｏを有するＲＲＣＣｏｎｎｅｃｔｉｏｎＲｅｌｅａｓｅメッセージのいずれかであってよい。
【００１６】
ＲＲＣメッセージは、ハンドオーバ手順を開始する時にまたは接続解除手順時に受信されてよい、またはＲＲＣメッセージは、セル再選択情報を含むブロードキャストメッセージであってよい。
【００１７】
方法は、アイドルモードまたは非アクティブモードへの解除の際に時間および周波数を追跡することをさらに含んでよい。
【００１８】
同期信号検出を行うことは、同期信号が受信帯域幅に含まれるように同期信号の周波数割り当てに基づいて受信側周波数を変更することと、同期信号を受信帯域幅内で監視することと、同期信号が発見されると該同期信号を復号することとを含んでよい。
【００１９】
方法は、同期信号検出を行った後に、受信側周波数を決定されたネットワーク周波数に同調させることを含んでよい。
【００２０】
第２の態様によると、セルラー通信システムにおいて動作するように構成され、第１の無線アクセス技術（ＲＡＴ）を使用して動作する第１の無線アクセスネットワーク（ＲＡＮ）から、第２のＲＡＴを使用して動作する第２のＲＡＮへのモビリティを可能にする無線通信デバイスが提供される。第１のＲＡＴは第１の割り当てによる同期信号を有し、第２のＲＡＴは第２のＲＡＴに対するネットワーク周波数との関連での第２の周波数割り当てによる同期信号を有する。無線通信デバイスは、トランシーバおよびコントローラを含む。トランシーバは、第２のＲＡＴの同期信号についての割り当て情報を含む無線リソース制御（ＲＲＣ）メッセージを受信するように構成される。コントローラは、トランシーバに、割り当て情報に基づいて同期信号検出を行わせるように構成される。無線通信デバイスは、第２のＲＡＴにおける同期が成功すると、第２のＲＡＴの同期信号についての割り当て情報を決定し、かつネットワークノードの隣接するネットワークノードに、第２のＲＡＴの同期信号の割り当て情報についての情報を含む第２のＲＡＴについての情報を送信するように構成される。
【００２１】
第１のＲＡＴおよび第２のＲＡＴは、ネットワーク周波数との関連で第２の周波数割り当てが第１の周波数割り当てと異なっている異なるアクセス技術を使用してよい。代替的には、第１のＲＡＴおよび第２のＲＡＴは、同じアクセス技術を使用してよいが、ネットワーク周波数との関連で第２の周波数割り当ては第１の周波数割り当てと異なっている。
【００２２】
割り当て情報は、同期信号についての特有の周波数情報を含んでよい。代替的には、割り当て情報は、ネットワーク周波数との関連での同期信号周波数に対する周波数オフセットを含んでよい。
【００２３】
ＲＲＣメッセージは、ＲＡＴ間測定または周波数間測定を設定するＭｅａｓＣｏｎｆｉｇを含むＲＲＣＣｏｎｎｅｃｔｉｏｎＲｅｃｏｎｆｉｇｕｒａｔｉｏｎメッセージ、およびｒｅｄｉｒｅｃｔｅｄＣａｒｒｉｅｒＩｎｆｏまたはｉｄｌｅＭｏｄｅＭｏｂｉｌｉｔｙＣｏｎｔｒｏｌＩｎｆｏを有するＲＲＣＣｏｎｎｅｃｔｉｏｎＲｅｌｅａｓｅメッセージであってよい。
【００２４】
ＲＲＣメッセージは、ハンドオーバセットアップ手順が開始される時にまたは接続解除手順時に受信されてよい、またはセル再選択情報を含むブロードキャストメッセージであってよい。
【００２５】
無線通信デバイスは、同期信号検出が行われる時、アイドルモードまたは非アクティブモードへの解除時に時間および周波数を追跡するように構成されてよい。
【００２６】
無線通信デバイスは、同期信号が受信帯域幅に含まれるように同期信号の周波数割り当てに基づいてトランシーバの受信側周波数を変更し、同期信号を受信帯域幅内で監視し、同期信号が発見されると、システムネットワークアクセスシグナリング伝送の残りの同期信号を復号するように構成されることによって、同期信号検出を行うように構成されてよい。
【００２７】
無線通信デバイスは、同期信号検出を行った後に、トランシーバの受信側周波数を決定されたネットワーク周波数に同調させるように構成されてよい。
【００２８】
第３の態様によると、第１の無線アクセス技術（ＲＡＴ）を使用して動作する第１の無線アクセスネットワーク（ＲＡＮ）から、第２のＲＡＴを使用して動作する第２のＲＡＮへのモビリティに対するセルラー通信システムのネットワークノードの方法が提供される。第１のＲＡＴは第１の周波数割り当てによる同期信号を有し、第２のＲＡＴは第２のＲＡＴに対するネットワーク周波数との関連での第２の周波数割り当てによる同期信号を有する。方法は、第２のＲＡＴの同期信号についての割り当て情報を決定することと、第２のＲＡＴの同期信号についての割り当て情報を含む無線リソース制御（ＲＲＣ）メッセージを送信することとを含む。第２のＲＡＴの同期信号についての割り当て情報を決定することは、セルラー通信ネットワークにおいて動作する他の無線デバイスからシグナリングを通して、第２のＲＡＴについての情報を取得することと、第２のＲＡＴについての情報から、第２のＲＡＴの同期信号の割り当て情報についての情報を抽出することとを含む。
【００２９】
第１のＲＡＴおよび第２のＲＡＴは、ネットワーク周波数との関連で第２の周波数割り当てが第１の周波数割り当てと異なっている異なるアクセス技術を使用してよい。代替的には、第１のＲＡＴおよび第２のＲＡＴは、同じアクセス技術を使用してよいが、ネットワーク周波数との関連で第２の周波数割り当ては第１の周波数割り当てと異なっている。
【００３０】
割り当て情報は、同期信号についての特有の周波数情報を含んでよい。代替的には、割り当て情報は、ネットワーク周波数との関連での同期信号周波数に対する周波数オフセットを含んでよい。
【００３１】
ＲＲＣメッセージは、ＲＡＴ間測定または周波数間測定を設定するＭｅａｓＣｏｎｆｉｇを含むＲＲＣＣｏｎｎｅｃｔｉｏｎＲｅｃｏｎｆｉｇｕｒａｔｉｏｎメッセージ、または、ＲＲＣメッセージは、ｒｅｄｉｒｅｃｔｅｄＣａｒｒｉｅｒＩｎｆｏまたはｉｄｌｅＭｏｄｅＭｏｂｉｌｉｔｙＣｏｎｔｒｏｌＩｎｆｏを有するＲＲＣＣｏｎｎｅｃｔｉｏｎＲｅｌｅａｓｅメッセージであってよい。
【００３２】
ＲＲＣメッセージは、ハンドオーバ手順を開始する時にまたは接続解除手順時に送信されてよい。
【００３３】
ＲＲＣメッセージは、セル再選択情報を含むブロードキャストメッセージであってよい。
【００３４】
第２のＲＡＴの同期信号についての割り当て情報を決定することは、セルラー通信システムからシグナリングを通して、第２のＲＡＴについての情報を受信することと、第２のＲＡＴについての情報から、第２のＲＡＴの同期信号の割り当て情報についての情報を抽出することとを含んでよい。
【００３５】
第２のＲＡＴの同期信号についての割り当て情報を決定することは、第２のＲＡＴの同期信号についての可能性がある割り当て情報を推定することを含んでよい。
【００３６】
第４の態様によると、セルラー通信システムにおいて動作するように構成され、第１の無線アクセス技術（ＲＡＴ）から第２のＲＡＴへのハンドオーバを支援することが可能なネットワークノードが提供される。第２のＲＡＴは、第２のＲＡＴに対するネットワーク周波数との関連での周波数割り当てによる同期信号を有する。ネットワークノードは、トランシーバおよびコントローラを含む。コントローラは、第２のＲＡＴの同期信号についての割り当て情報を決定するように構成される。トランシーバは、第２のＲＡＴの同期信号についての割り当て情報を含む無線リソース制御（ＲＲＣ）メッセージを送信するように構成される。第２のＲＡＴの同期信号についての割り当て情報を決定することは、トランシーバが、セルラー通信ネットワークにおいて動作する他の無線デバイスからシグナリングを通して、第２のＲＡＴについての情報を取得するように構成され、コントローラが、第２のＲＡＴについての情報から、第２のＲＡＴの同期信号の割り当て情報についての情報を抽出するように構成されることを含む。
【００３７】
第１のＲＡＴおよび第２のＲＡＴは、ネットワーク周波数との関連で第２の周波数割り当てが第１の周波数割り当てと異なっている異なるアクセス技術を使用してよい。代替的には、第１のＲＡＴおよび第２のＲＡＴは、同じアクセス技術を使用してよいが、ネットワーク周波数との関連で第２の周波数割り当ては第１の周波数割り当てと異なっている。
【００３８】
割り当て情報は、同期信号の特有のキャリア周波数を含んでよい。代替的には、割り当て情報は、ネットワーク周波数との関連での同期信号のキャリア周波数に対する周波数オフセットを含む。
【００３９】
ＲＲＣメッセージは、ＲＡＴ間測定または周波数間測定を設定するＭｅａｓＣｏｎｆｉｇを含むＲＲＣＣｏｎｎｅｃｔｉｏｎＲｅｃｏｎｆｉｇｕｒａｔｉｏｎメッセージ、または、ｒｅｄｉｒｅｃｔｅｄＣａｒｒｉｅｒＩｎｆｏまたはｉｄｌｅＭｏｄｅＭｏｂｉｌｉｔｙＣｏｎｔｒｏｌＩｎｆｏを有するＲＲＣＣｏｎｎｅｃｔｉｏｎＲｅｌｅａｓｅメッセージであってよい。
【００４０】
ＲＲＣメッセージは、ハンドオーバ手順を開始する時にまたは接続解除手順時に送信されてよい。
【００４１】
ＲＲＣメッセージは、セル再選択情報を含むブロードキャストメッセージであってよい。
【００４２】
第２のＲＡＴの同期信号についての割り当て情報を決定することは、ネットワークノードのインターフェースが、セルラー通信システムからシグナリングを通して、第２のＲＡＴについての情報を受信するように構成され、コントローラが、第２のＲＡＴについての情報から、第２のＲＡＴの同期信号の割り当て情報についての情報を抽出するように構成されることを含んでよい。
【００４３】
第２のＲＡＴの同期信号についての割り当て情報を決定することは、コントローラが、第２のＲＡＴの同期信号についての可能性がある割り当て情報を推定するように構成されることを含んでよい。
【００４４】
第５の態様によると、無線通信デバイスのプロセッサ上で実行される時、無線通信デバイスに第１の態様による方法を実行させる命令を含むコンピュータプログラムが提供される。
【００４５】
第６の態様によると、ネットワークノードのプロセッサ上で実行される時、ネットワークノードに第３の態様による方法を実行させる命令を含むコンピュータプログラムがある。
【００４６】
本発明の上記のならびに追加の目的、特徴、および利点は、添付の図面を参照して、本発明の好ましい実施形態の以下の例示的かつ非限定的である詳細な説明を通してより良く理解されるであろう。
【図面の簡単な説明】
【００４７】
【図１】一実施形態によるネットワークノードに対する方法を示すフローチャートである。
【図２】一実施形態による無線通信デバイスに対する方法を示すフローチャートである。
【図３】一実施形態による無線通信デバイスに対する方法の特有の部分を示すフローチャートである。
【図４】ネットワークノードに対するコンピュータ可読媒体および処理デバイスを概略的に示す図である。
【図５】無線通信デバイスに対するコンピュータ可読媒体および処理デバイスを概略的に示す図である。
【図６】一実施形態によるＵＥを概略的に示すブロック図である。
【図７】ネットワークノードおよび無線通信デバイスを含む通信ネットワークを概略的に示す図である。
【図８】ネットワーク周波数に関する対称的なおよび／または固定された同期信号割り当てを概略的に示す周波数図である。
【図９】ネットワーク周波数に関する非対称的なおよび／または柔軟な同期信号割り当てを概略的に示す周波数図である。
【発明を実施するための形態】
【００４８】
図８は、ネットワーク周波数に関する対称的なおよび／または固定された同期信号割り当てを概略的に示す周波数図である。帯域幅８００ａ、８００ｂを有するネットワークキャリアはセルラーネットワークによって規定され、キャリアは例えば、絶対無線周波数チャネル番号（ＡＲＦＣＮ）によって識別されてよく、これは、陸上移動無線システムにおける送信および受信に使用される物理無線キャリアを指定する符号とみなされてよい。この符号と実際の物理周波数との間のマッピングは、異なるＲＡＴに対して異なっていてよい。さらに、同期信号８１０ａ、８１０ｂは対応する帯域幅８００ａ、８００ｂ内で提供される。同期信号８１０ａ、８１０ｂは固定される、すなわち、常に、少なくとも同じ通信モードに対して、帯域幅の同じ部分に割り当てられる。換言すれば、これらの信号はネットワーク帯域幅またはネットワーク周波数に相対的に固定される。これら信号はさらに、図８に示されるように、帯域幅８００ａ、８００ｂの中心にあり得る。これを用いるＲＡＴの一例はＬＴＥである。
【００４９】
図９は、ネットワーク周波数に関する非対称的なおよび／または柔軟な同期信号割り当てを概略的に示す周波数図である。いくつかのＲＡＴは、本質的に、異なるリソースの非常に柔軟な割り当て、およびそれらの間の同期信号の割り当てを有する。帯域幅９００ａ、９００ｂ、９１０ｃを有するネットワークキャリアはセルラーネットワークによって規定される。図９は、示される同期信号９１０ａ、９１０ｂ、９１０ｃ、９１０ｄ、９１０ｅのいくつかまたは全てを割り当てる異なるアプローチに対して異なるやり方で解釈されるように描かれており、これらアプローチの中で、実現可能なアプローチのいくつかの例についてここで明らかにする。
【００５０】
１つのアプローチは、規則的な周波数間隔において同期信号９１０ａ、９１０ｂ、９１０ｃ、９１０ｄ、９１０ｅを提供することである。別の同様のアプローチは、破線で示される同期信号９１０ａ、９１０ｃ、９１０ｅのみを提供することである。柔軟に割り当てられる場合もあるキャリア帯域幅９００ａ、９００ｂ、９００ｃに対するこれらの割り当ては、１つのキャリアから別のキャリアへと異なってよく、この場合、同期信号はさらにまた、例えば、キャリア帯域幅９００ｂとの関連での同期信号９１０ｃとして帯域幅境界の近くにあってよい、または、例えば、同期信号９１０ｂが存在しないと想定してキャリア帯域幅９００ａとの関連での同期信号９１０ａとして、帯域幅のわずか外側にもあってよい。
【００５１】
別のアプローチは、帯域幅９００ａ、９００ｂを有する対応するキャリアに対して、実線で示される同期信号９１０ｂ、９１０ｄを提供することであり、すなわち、同期信号９１０ａ、９１０ｃ、および９１０ｅはこのアプローチでは使用されない。同期信号９１０ｂ、９１０ｄはさらに、非対称的に現れ、すなわち、帯域幅９００ａ、９００ｂにおいて、例えば、帯域幅９００ａ、９００ｂの中心周波数と周波数が異なる距離で、ネットワーク周波数の中心にはない。
【００５２】
さらなるアプローチは、複数の同期信号周波数、例えば、帯域幅９００ｂを有するネットワークキャリアに対する同期信号９１０ｃ、９１０ｄがあることである。その場合、以下に実証されるように提供される同期信号割り当て情報は、同期信号９１０ｃ、９１０ｄのうちの１つについて、または同期信号９１０ｃ、９１０ｄ両方についてであってよく、無線通信デバイスはそれに応じて作動可能である。
【００５３】
同期信号周波数は、同期信号、例えば、帯域または周波数分布が決定可能である周波数である。この周波数は、同期中心周波数、同期周波数の一端、または同期信号が決定される周波的であってよいその他の周波数のものであってよい。
【００５４】
上で実証されるアプローチのいくつかについての理由は、ＵＥが、リーンキャリアセットアップの複雑さを低減するための同期検索を行う時にいくつかの追加の情報を必要とする場合があり、ここで、ネットワーク帯域幅が、現時点で送信されるものがないため必ずしも検出可能ではない場合があることである。絶対候補同期周波数位置を使用することは、それを行う１つの手段である。上のアプローチのいずれかに従って同期信号を提供するためのアプローチについての別の理由は、帯域幅の割り当てに柔軟性がある場合があり、同期信号の割り当てを固定させ続けるのが実現不可能である、または少なくとも難しいことである。別の理由は、同期信号の量を低いままにする、すなわちオーバーヘッドを低減させることが所望され、この場合、同期信号の柔軟な提供がこれを達成するやり方であることであってよい。さらなる理由は、他のシステム設計パラメータに基づいて適用可能である。
【００５５】
本開示の導入部で論じられるように、無線通信デバイスによる直接的なアプローチは、同期信号を手探りで検索することである。しかしながら、これは、例えば、時間および／またはエネルギーの意味で、過度のリソースを消費する場合があり、例えば、同期に対する時間および／または信頼性の意味で、予測不可能な性能を提供する場合がある。本開示は、無線通信デバイスがより効率的に同期を行うように支援するためのアプローチを提案している。
【００５６】
同期信号は、いくつかのシステムでは、同期信号ブロック（ＳＳＢ）を含んでよいシステムネットワークアクセスシグナリング伝送に配置されてよい。同期信号は、二次同期信号（ＳＳＳ）および物理ブロードキャストチャネル（ＰＢＣＨ）信号のいずれか１つをさらに含んでよいＳＳＢの一次同期信号（ＰＳＳ）を形成してよい。異なるＰＳＳを使用して、全ての可能なＳＳＳのサブセットを決定することになる。ＰＢＣＨは最小システム情報のサブセットを含み、残りの最小システム情報は、物理ダウンリンク共有チャネルＰＤＳＣＨＳＩＢにおいて送信され、かつ物理ダウンリンク制御チャネルＰＤＣＣＨＳＩＢにおいてスケジューリングされる。ＰＳＳに対して選択されるシーケンスは、ＰＳＳとの関連でのＳＳＳおよびＰＢＣＨの設定、ＰＢＣＨの設定、例えば、システム情報を提供するチャネルについてのスケジューリング情報を提供するチャネル、例えば、ＰＤＳＣＨＳＩＢについてのスケジューリング情報を伝達するＰＤＣＣＨＳＩＢなど、システム情報を伝達する別のチャネルのＰＤＳＣＨＳＩＢ設定に関するシステム情報の設定、システム情報を伝達する別のチャネルに対する伝送リソースの割り当て、同期信号伝送の異なるインスタンスがソフトコンバインされてよいかどうかの指示、さらなるＳＳＢパラメータ、ＰＳＳの送信点、およびＰＳＳに関連しているＳＳＢ割り当ての他の部分の疑似コロケーション、ＳＳＢが、第１の幅を有するビームで送信され、および、第２の幅での時間またはビームが繰り返されかつ複数の方向にわたってスイープされるかどうかを含むことができ、第１の幅は第２の幅より広い、ＳＳＢ送信、ＳＳＢの帯域幅、ＳＳＢの時分割特性、およびＳＳＢの周波数分割特性のうちの少なくとも１つについての情報を含んでよい。よって、発見された同期信号は合理的にはＰＳＳであり、残りの同期信号は例えば、ＳＳＳを含んでよく、この場合、残りの同期信号の復号は、上で論じられるように、無線通信デバイスに追加の情報をもたらすことが考えられる。同期信号を提供するための他のアプローチは等しく実現可能であってよい。
【００５７】
図１は、一実施形態によるネットワークノードに対する方法を示すフローチャートである。ネットワークノードは、異なる手段によって同期信号割り当て情報を知ることができる。例えば、ネットワークノードは、遠隔無線通信デバイスから同期情報を取得し１０１かつ抽出することができる。以下に、遠隔無線通信デバイスが既存の同期信号割り当て関係についてのレポートをどのように提供するかに関するさらなる実証。別の例は、ネットワークノードが、ネットワークノードが動作するセルラー通信システムから同期信号割り当て情報を受信し１０３かつ抽出することである。これは、セルラー通信システムの制御ノードとネットワークノードとの間のシステム情報についてのプロトコルを使用して提供されてよい。ネットワークノードが、同期信号割り当て情報を、例えば、他のシステム情報、およびこのようなシステム情報と適用可能な割り当てとの間の関係についての固有の知識から間接的に見つけ出すさらなるやり方が適用可能であってよい。このような間接的な決定は、同期信号割り当て情報の推定の１つの例とみなされてよい。よって、同期信号割り当て情報は十分に確認されなくてよく、ここで、例えば、これが、実現可能な割り当てのサブセットであり、かつ必ずしも完全なリストではない場合があることを無線通信デバイスに伝えるフラグが情報に追加される。無線通信デバイスは、このようなフラグを検出すると、同期信号割り当て情報に基づいて同期信号の検索を優先させてよく、うまくいかない場合、例えば、同期信号を手探りで検索することに切り替えてよい。
【００５８】
方法は、同期信号についての割り当て情報の決定１０４を含む。よって、例えば、上で実証されるやり方のいずれかの時点で、１つまたは別のやり方で入手した同期信号割り当てについての情報から、ネットワークノードは、同期信号に関連している割り当て情報を決定する１０４ことが可能であり、ここで、ネットワークノードは、１つまたは複数の無線通信デバイス、例えば、サーブされた無線通信デバイスに対して、同期信号割り当て情報を含むメッセージ、例えば、無線リソース制御メッセージを形成しかつ送信する１０６。無線リソース制御メッセージと同様の機能を有する他のメッセージタイプは、当然ながら等しく実現可能であってよい。無線通信デバイスには、よって、同期信号を発見する支援が行われ、これについて、さらに以下で明らかにする。
【００５９】
図２は、一実施形態による無線通信デバイスに対する方法を示すフローチャートである。無線通信デバイスは、同期信号割り当て情報についての情報を含むメッセージ、例えば、無線リソース制御メッセージを受信する２００。その情報に基づいて、無線通信デバイスは、同期信号をより効率的に検索することができる。同期信号は、よって、より早く検出２０２可能であり、同期信号に関連している動作、すなわち、システム情報を同期しかつ決定することは、少ない労力でおよび／またはより精確に、より早く行われ得る。
【００６０】
方法は、第１の無線アクセス技術（ＲＡＴ）を使用して動作する第１の無線アクセスネットワーク（ＲＡＮ）から、第２のＲＡＴを使用して動作する第２のＲＡＮへのモビリティを提供する。ここで、第１のＲＡＮおよび／またはＲＡＴならびに第２のＲＡＮおよび／またはＲＡＴは、場合によっては、同じである場合があるが、同期信号割り当てに関して異なる設定を有する場合がある。ネットワーク周波数との関連で、第１のＲＡＴは第１の周波数割り当てによる同期信号を有してよく、および第２のＲＡＴは第２の周波数割り当てによる同期信号を有してよいため、ネットワークノードは、無線通信デバイスが、第２のＲＡＴにおける同期信号を検索する時に、同期信号をより容易に発見かつ検出できるように、第１のＲＡＴに対して確立された通信に関する割り当て情報を提供することによって、無線通信デバイスを支援することができる。
【００６１】
第１のＲＡＴおよび第２のＲＡＴは、ネットワーク周波数との関連で第２の周波数割り当てが第１の周波数割り当てと異なっている異なるアクセス技術を使用してよい。例えば、第１のＲＡＴは、ネットワーク周波数と同期信号の周波数割り当てとの間の固定された関係、例えば対称的な割り当てを使用してよく、第２のＲＡＴは、ネットワーク周波数と同期信号の周波数との間の周波数割り当て関係、例えば非対称的な割り当てを使用してよい。第１のＲＡＴおよび第２のＲＡＴは、同じアクセス技術を使用してよいが、ネットワーク周波数との関連で第２の周波数割り当ては第１の周波数割り当てと異なる場合がある。別のケースは、ＲＡＴおよびネットワーク帯域幅両方が同じであることであってよいが、同期信号のタイプは異なっている。割り当て情報が異なるものになる、図８および図９を参照して実証される異なる例を参照のこと。
【００６２】
同期信号割り当て情報を含むメッセージは、例えば、絶対周波数または物理周波数において、または周波数グリッドに従って指示される、同期信号についての特有の周波数情報を含んでよい。代替的には、割り当て情報は、ネットワーク周波数との関連での同期信号周波数に対する、物理周波数オフセットとして示される周波数オフセット、または周波数グリッドに従って指示されるオフセットを含む。ここで、ネットワーク周波数は、ネットワークノードと無線通信デバイスとの間で使用される周波数帯が示される基準である。上に示されるように、メッセージは、無線リソース制御（ＲＲＣ）メッセージ、または制御情報を伝達するという意味で同様の特性を有するメッセージであってよい。３ＧＰＰ仕様で共通して使用される表記を使用して、ＲＲＣメッセージは、ＲＲＣＣｏｎｎｅｃｔｉｏｎＲｅｃｏｎｆｉｇｕｒａｔｉｏｎメッセージ、すなわち、ＭｅａｓＣｏｎｆｉｇを含む、すなわち、ＲＡＴ間測定または周波数間測定を設定する、測定についての設定を含む、接続の再設定を提供する特定のＲＲＣメッセージ、または、ＲＲＣＣｏｎｎｅｃｔｉｏｎＲｅｌｅａｓｅメッセージ、すなわち、ｒｅｄｉｒｅｃｔｅｄＣａｒｒｉｅｒＩｎｆｏ、すなわち、解除後に監視される新しいキャリアについての情報、またはｉｄｌｅＭｏｄｅＭｏｂｉｌｉｔｙＣｏｎｔｒｏｌＩｎｆｏ、すなわち、アイドルモードでのモビリティ制御についての情報と共に、接続の解除を指示するＲＲＣメッセージとすることができる。ＲＲＣメッセージは例えば、ハンドオーバ手順を開始する時にまたは接続解除手順時に送信される。無線通信デバイスは、よって、アイドルモードまたは非アクティブモードへの解除の際に時間および／または周波数を追跡する２０３ことができる。ＲＲＣメッセージはまた、セル再選択情報を含むブロードキャストメッセージとすることができる。
【００６３】
上記のように、ネットワークノードは、種々のやり方で同期割り当てについての情報を得ることができ、このやり方のうちの１つは、ネットワークノードに無線で接続される通信デバイスから、すなわち、無線通信デバイスが実際のおよび経験済み割り当てに関するレポートを提供することに基づいて、この情報を得ることである。無線通信デバイスの方法は、よって、例えば、同期が成功すると、例えば、成功した同期または接続が行われたまたは確立されたＲＡＴの同期信号についての割り当て情報を決定すること２０５をさらに含んでよい。無線デバイスはさらにまた、ネットワークノード、または該ネットワークノードの隣接するネットワークノードに、成功した同期または接続確立が行われたＲＡＴについての情報を、そのＲＡＴの同期信号の割り当て情報についての情報を含んで送信する２０７。これによって、ネットワークノードは、例えば、使用される同期信号割り当てについての情報によるリストまたはデータベースをポピュレートしてよく、この情報はさらにまた、上で実証されるアプローチに従って他の無線デバイスに提供されてよい。
【００６４】
図３は、一実施形態による無線通信デバイスに対する同期信号検出を行う方法の特有の部分を示すフローチャートである。同期信号検出を行うことは、同期信号が受信帯域幅に含まれるように同期信号の周波数割り当てに基づいて受信側周波数を変更すること３００を含んでよい。無線通信デバイスは、さらにまた、同期信号の帯域幅を効率的に監視すること３０２が可能である。同期信号が発見されると想定して、無線通信デバイスはさらにまた、同期信号を復号することができる。合理的には、少なくとも初期同期が処理される時、無線デバイスは、受信側周波数をネットワーク周波数において動作させるための周波数に同調させることに進んでよい。この同調周波数は、ネットワークノードからの制御シグナリングから無線通信デバイスによって決定されてよい。
【００６５】
図６は、一実施形態によるＵＥ６００を概略的に示すブロック図である。ＵＥは、アンテナ装置６０２と、アンテナ装置６０２に接続される受信機６０４と、アンテナ装置６０２に接続される送信機６０６と、１つまたは複数の回路を含んでよい処理要素６０８と、オプションとして、１つもしくは複数の入力インターフェース６１０および／または１つもしくは複数の出力インターフェース６１２とを含む。インターフェース６１０、６１２は、例えば、電気または光の、ユーザインターフェース６１０および／または信号インターフェースとすることができる。ＵＥ６００は、セルラー通信ネットワークにおいて動作するように構成される。とりわけ、処理要素６０８が図２および図３を参照して実証される実施形態を行うように構成されることによって、ＵＥ６００は同期信号を効率的に発見することが可能である。処理要素６０８は、信号処理から受信および送信を可能にすることまでの多数のタスクを実行することもできるが、これは、オプションのインターフェース６１０、６１２などを制御するアプリケーションを実行する受信機６０４および送信機６０６に接続されるからである。
【００６６】
本発明による方法は、特に、上で実証される処理要素６０８が同期信号の検索および測定に対処するプロセッサを含む場合、コンピュータおよび／またはプロセッサなど、処理手段の支援による実施に適している。したがって、処理手段、プロセッサ、またはコンピュータに、図２および図３を参照して説明される実施形態のいずれかによる方法のいずれかのステップを行わせるように構成された命令を含むコンピュータプログラムが提供される。コンピュータプログラムは好ましくは、図５に示されるように、コンピュータ可読媒体５００上に記憶されるプログラムコードを含み、これは、処理手段、プロセッサ、またはコンピュータ５０２によって、好ましくは、図２および図３を参照して説明される実施形態のいずれかのように、本発明の実施形態による方法をそれぞれ行わせるようにロードおよび実行可能である。コンピュータ５０２およびコンピュータプログラム製品５００は、プログラムコードを連続的に実行するように構成可能であり、この場合、方法のいずれかのアクションが段階的に行われる。処理手段、プロセッサ、またはコンピュータ５０２は好ましくは、通常は埋め込みシステムと称されるものである。よって、図５において示されるコンピュータ可読媒体５００およびコンピュータ５０２は、原理を理解してもらうだけのための例証の目的のものとし、要素のいずれの直接的な例証としても解釈されるべきではない。
【００６７】
図７は、一実施形態による、ネットワークノード７００および通信デバイス７１０のより詳細な図による、ネットワークノード７００、７００ａおよび無線通信デバイス７１０を含む通信ネットワークを概略的に示す。簡略にするために、図５は、コアネットワーク７２０、ネットワークノード７００および７００ａ、ならびに通信デバイス７１０のみを示す。ネットワークノード７００は、プロセッサ７０２、ストレージ７０３、インターフェース７０１、およびアンテナ７０１ａを含む。同様に、通信デバイス７１０は、プロセッサ７１２、ストレージ７１３、インターフェース７１１、およびアンテナ７１１ａを含む。これらのコンポーネントは、上で実証されるようにネットワークノードおよび／または無線デバイスに機能性を提供するために共に機能することができる。異なる実施形態では、無線ネットワークは、任意の数の、有線もしくは無線ネットワーク、ネットワークノード、基地局、コントローラ、無線デバイス、中継局、および／または有線接続または無線接続を介するかどうかにかかわらず、データおよび／または信号を通信時に容易にすることができるまたは参加できる任意の他のコンポーネントを含んでよい。
【００６８】
ネットワーク７２０は、１つまたは複数の、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、公衆陸上移動網（ＰＬＭＮ）、有線ネットワーク、無線ネットワーク、メトロポリタンエリアネットワーク、およびデバイス間の通信を可能にするための他のネットワークを含んでよい。ネットワーク７２０は、図６を参照して実証される方法を行うためのネットワークノード、および／またはネットワークノード７００、７００ａの間でシグナリングするためのインターフェースを含んでよい。
【００６９】
ネットワークノード７００は、プロセッサ７０２、ストレージ７０３、インターフェース７０１、およびアンテナ７０１ａを含む。これらのコンポーネントは、単一のより大きいボックス内に位置する単一のボックスとして示される。しかしながら、実際には、ネットワークノードは単一の示されるコンポーネントを構成する複数の異なる物理コンポーネントを含んでよい（例えば、インターフェース７０１は、有線接続のためのワイヤを結合するための端末、および無線接続のための無線トランシーバを含んでよい）。同様に、ネットワークノード７００は、それぞれが自身の対応するプロセッサ、ストレージ、およびインターフェースコンポーネントを有してよい複数の物理的に別個のコンポーネント（例えば、ＮｏｄｅＢコンポーネントおよび無線ネットワークコントローラ（ＲＮＣ）コンポーネント、ベーストランシーバ基地局（ＢＴＳ）コンポーネント、および基地局コントローラ（ＢＳＣ）コンポーネントなど）で構成されてよい。ネットワークノード７００が複数の別個のコンポーネント（例えば、ＢＴＳおよびＢＳＣコンポーネント）を含むある特定のシナリオでは、別個のコンポーネントの１つまたは複数は、いくつかのネットワークノードの間で共有されてよい。例えば、単一のＲＮＣは複数のＮｏｄｅＢを制御してよい。このようなシナリオでは、それぞれの一意のＮｏｄｅＢおよびＢＳＣペアは、別個のネットワークノードであってよい。いくつかの実施形態では、ネットワークノード７００は、複数の無線アクセス技術（ＲＡＴ）をサポートするように設定されてよい。このような実施形態では、いくつかのコンポーネントは複製されてよく（例えば、異なるＲＡＴに対して別個のストレージ７０３）、いくつかのコンポーネントは再利用されてよい（例えば、同じアンテナ７０１ａはＲＡＴによって共有されてよい）。
【００７０】
プロセッサ７０２は、マイクロプロセッサ、コントローラ、マイクロコントローラ、中央処理装置、デジタル信号プロセッサ、特定用途向け集積回路、フィールドプログラマブルゲートアレイ、もしくは任意の他の適したコンピューティングデバイス、リソースの１つまたは複数の組合せ、または、単独で、またはストレージ７０３などの他のネットワークノード７００のコンポーネントと併せて、ネットワークノード７００の機能性を提供するように動作可能な、ハードウェア、ソフトウェア、および／または符号化された論理の組合せであってよい。例えば、プロセッサ７０２は、ストレージ７０３に記憶される命令を実行してよい。そのような機能性は、本明細書に開示される特徴または利点のいずれかを含む、本明細書で論じられるさまざまな無線特徴を、無線デバイス７１０などの無線通信デバイスに提供することを含んでよい。
【００７１】
ストレージ７０３は、限定はされないが、永続ストレージ、ソリッドステートメモリ、遠隔に装着されたメモリ、磁気媒体、光媒体、ランダムアクセスメモリ（ＲＡＭ）、読み出し専用メモリ（ＲＯＭ）、取り外し可能媒体、または任意の他の適したローカルもしくは遠隔メモリコンポーネントを含む、任意の形態の揮発性または不揮発性コンピュータ可読メモリを含んでよい。ストレージ７０３は、ネットワークノード７００によって利用される、ソフトウェアおよび符号化された論理を含む、任意の適した命令、データ、または情報を記憶することができる。ストレージ７０３は、プロセッサ７０２によって行われた任意の算出、および／またはインターフェース７０１を介して受信された任意のデータを記憶するために使用されてよい。
【００７２】
ネットワークノード７００はまた、ネットワークノード７００、ネットワーク７２０、および／または無線デバイス７１０の間のシグナリングおよび／またはデータの有線または無線通信において使用され得るインターフェース７０１も備える。例えば、インターフェース７０１は、ネットワークノード７００が、有線接続によってネットワーク７２０に対してデータを送るおよび受信できるようにするために必要とされ得る任意のフォーマッティング、コーディング、または変換を行うことができる。インターフェース７０１はまた、アンテナ７０１ａに結合されてよいまたはその一部であってよい無線送信機および／または受信機を含むことができる。無線は、他のネットワークノードまたは無線デバイスに無線接続を介して送り出されるデジタルデータを受信してよい。無線は、デジタルデータを、適切なチャネルおよび帯域幅パラメータを有する無線信号に変換することができる。無線信号はさらにまた、アンテナ７０１ａを介して適切な受信側（例えば、無線デバイス７１０）に送信されてよい。
【００７３】
アンテナ７０１ａは、データおよび／または信号を無線で送信および受信することが可能な任意のタイプのアンテナであってよい。いくつかの実施形態では、アンテナ７０１ａは、例えば２ＧＨｚ〜６６ＧＨｚの無線信号を送信／受信するように動作可能な、１つまたは複数の全方向性アンテナ、セクタアンテナ、またはパネルアンテナを含んでよい。全方向性アンテナは、任意の方向の無線信号を送信／受信するために使用されてよく、セクタアンテナは、特定のエリア内のデバイスからの無線信号を送信／受信するために使用されてよく、パネルアンテナは、比較的直線の無線信号を送信／受信するために使用される見通しアンテナであってよい。アンテナ７０１ａは、異なるランクのＳＩＭＯ、ＭＩＳＯ、もしくはＭＩＭＯ動作、またはビーム形成動作を可能にするための１つまたは複数の要素を含んでよい。
【００７４】
無線デバイス７１０は、任意のタイプの、通信デバイス、無線デバイス、ＵＥ、Ｄ２Ｄデバイス、またはＰｒｏＳｅ  ＵＥであってよいが、一般に、ネットワークノード７００および／または他の無線デバイスなどのネットワークノードに対してデータおよび／または信号を無線で送るおよび受信することができる、任意のデバイス、センサ、スマートフォン、モデム、ラップトップ、携帯情報端末（ＰＤＡ）、タブレット、モバイル端末、スマートフォン、ラップトップ埋め込み機器（ＬＥＥ）、ラップトップ搭載機器（ＬＭＥ）、Ｕｎｉｖｅｒｓａｌ  Ｓｅｒｉａｌ  Ｂｕｓ（ＵＳＢ）ドングル、マシン型ＵＥ、マシンツーマシン（Ｍ２Ｍ）通信対応ＵＥなどであってよい。無線デバイス７１０は、プロセッサ７１２、ストレージ７１３、インターフェース７１１、およびアンテナ７１１ａを含む。ネットワークノード７００のように、無線デバイス７１０のコンポーネントは単一のより大きいボックス内に位置する単一のボックスとして示されるが、実際には、無線デバイスは、単一の示されるコンポーネントを構成する複数の異なる物理コンポーネントを含んでよい（例えば、ストレージ７１３は、複数の個別のマイクロチップを含んでよく、それぞれのマイクロチップは全ストレージ容量の一部分を表す）。
【００７５】
プロセッサ７１２は、マイクロプロセッサ、コントローラ、マイクロコントローラ、中央処理装置、デジタル信号プロセッサ、特定用途向け集積回路、フィールドプログラマブルゲートアレイ、もしくは任意の他の適したコンピューティングデバイス、リソースの１つまたは複数の組合せ、または、単独で、またはストレージ７１３などの他の無線デバイス７１０のコンポーネントと組み合わせて、無線デバイス７１０に機能性を提供するように動作可能な、ハードウェア、ソフトウェア、および／または符号化された論理の組合せであってよい。そのような機能性は、本明細書に開示される特徴または利点のいずれかを含む、本明細書で論じられるさまざまな無線特徴を提供することを含んでよい。
【００７６】
ストレージ７１３は、限定はされないが、永続ストレージ、ソリッドステートメモリ、遠隔に装着されたメモリ、磁気媒体、光媒体、ランダムアクセスメモリ（ＲＡＭ）、読み出し専用メモリ（ＲＯＭ）、取り外し可能媒体、または任意の他の適したローカルもしくは遠隔メモリコンポーネントを含む、任意の形態の揮発性または不揮発性メモリであってよい。ストレージ７１３は、無線デバイス７１０によって利用される、ソフトウェアおよび符号化された論理を含む、任意の適したデータ、命令、または情報を記憶することができる。ストレージ７１３は、プロセッサ７１２によって行われた任意の算出、および／またはインターフェース７１１を介して受信された任意のデータを記憶するために使用されてよい。
【００７７】
インターフェース７１１は、無線デバイス７１０とネットワークノード７００、７００ａとの間のシグナリングおよび／またはデータの無線通信において使用可能である。例えば、インターフェース７１１は、無線デバイス７１０が無線接続によってネットワークノード７００、７００ａに対してデータを送るおよび受信することを可能にするために必要とされ得る任意のフォーマッティング、コーディング、または変換を行うことができる。インターフェース７１１はまた、アンテナ７１１ａに結合されてよいまたはその一部であってよい無線送信機および／または受信機を含むことができる。無線は、無線接続によって、例えばネットワークノード７０１に送り出されるデジタルデータを受信してよい。無線は、デジタルデータを、適切なチャネルおよび帯域幅パラメータを有する無線信号に変換することができる。無線信号はさらにまた、アンテナ７１１ａを介して、例えば、ネットワークノード７００に送信されてよい。
【００７８】
アンテナ７１１ａは、データおよび／または信号を無線で送信および受信することが可能な任意のタイプのアンテナであってよい。いくつかの実施形態では、アンテナ７１１ａは、２ＧＨｚ〜６６ＧＨｚの無線信号を送信／受信するように動作可能な、１つまたは複数の全方向性アンテナ、セクタアンテナ、またはパネルアンテナを含んでよい。簡略化するために、アンテナ７１１ａは、無線信号が使用される限りは、インターフェース７１１の一部とみなされてよい。アンテナ７１１ａは、異なるランクのＳＩＭＯ、ＭＩＳＯ、もしくはＭＩＭＯ動作、またはビーム形成動作を可能にするための１つまたは複数の要素を含んでよい。
【００７９】
いくつかの実施形態において、上述されるコンポーネントは、上で実証されるように、測定を可能にするために使用される１つまたは複数の機能モジュールを実施するために使用可能である。機能モジュールは、ソフトウェア、コンピュータプログラム、サブルーチン、ライブラリ、ソースコード、または、例えば、プロセッサによって実行される任意の他の形態の実行可能命令を含んでよい。一般的には、それぞれの機能モジュールは、ハードウェアおよび／またはソフトウェアで実装されてよい。好ましくは、全機能モジュールの１つまたは複数は、プロセッサ７１２および／または７０２によって、場合によって、ストレージ７１３および／または７０２と協働するように実装されてよい。よって、プロセッサ７１２および／または７０２、ならびにストレージ７１３および／または７０３は、プロセッサ７１２および／または７０２が、ストレージ７１３および／または７０３から命令をフェッチし、かつ、対応する機能モジュールが本明細書に開示される任意の特徴または機能を実行できるようにフェッチされた命令を実行することを可能にするように構成可能である。モジュールはさらに、本明細書に明示的に説明されないが、当業者の知識の範囲内にあると考えられる他の機能またはステップを行うように設定されてよい。
【００８０】
本発明による方法は、コンピュータおよび／またはプロセッサなどの処理手段を用いた実行に、特に、上で実証される処理要素７０２が同期信号の検索および測定に対処するプロセッサを含む場合に、適している。したがって、処理手段、プロセッサ、またはコンピュータに、図１を参照して説明される実施形態のいずれかによる方法のいずれかのステップを行わせるように構成される命令を含むコンピュータプログラムが提供される。コンピュータプログラムは好ましくは、図４に示されるように、コンピュータ可読媒体４００上に記憶されるプログラムコードを含み、これは、処理手段、プロセッサ、またはコンピュータ４０２によって、好ましくは、図１を参照して説明される実施形態のいずれかのように、本発明の実施形態による方法をそれぞれ行わせるようにロードおよび実行可能である。コンピュータ４０２およびコンピュータプログラム製品４００は、プログラムコードを連続的に実行するように構成可能であり、この場合、方法のいずれかのアクションが段階的に行われる。処理手段、プロセッサ、またはコンピュータ４０２は好ましくは、通常は埋め込みシステムと称されるものである。よって、図４において示されるコンピュータ可読媒体４００およびコンピュータ４０２は、原理を理解してもらうだけのための例証の目的のものとし、要素のいずれの直接的な例証としても解釈されるべきではない。
【００８１】
いくつかの実施形態を参照して、発明概念のある特定の態様について主に上述している。しかしながら、当業者には容易に理解されるように、上に論じられたもの以外の実施形態が等しく可能であり、かつ発明概念の範囲内にある。同様に、いくつかの異なる組合せが論じられているが、全ての可能な組合せは開示されていない。当業者には理解されるであろうが、他の組合せが存在しかつ発明概念の範囲内にある。また、当業者には理解されるように、本明細書に開示される実施形態は、そのように、他の標準および通信システムにも適用可能であり、他の特徴に関連して開示される特定の図からのいずれの特徴も、任意の他の図に適用可能であってよい、および／または異なる特徴と組み合わせられてよい。
【００８２】
本開示は以下の項目によって要約され得る。
【００８３】
１．第１の無線アクセス技術（ＲＡＴ）を使用して動作する第１の無線アクセスネットワーク（ＲＡＮ）から、第２のＲＡＴを使用して動作する第２のＲＡＮへのモビリティに対するセルラー通信システムの無線通信デバイスの方法であって、第１のＲＡＴは、第１の周波数割り当てによる同期信号を有し、第２のＲＡＴは、第２のＲＡＴに対するネットワーク周波数との関連での第２の周波数割り当てによる同期信号を有し、前記方法は、
第２のＲＡＴの同期信号についての割り当て情報を含む無線リソース制御（ＲＲＣ）メッセージを受信することと、割り当て情報に基づいて同期信号検出を行うことと、を含む、方法。
【００８４】
２．第１のＲＡＴおよび第２のＲＡＴは、ネットワーク周波数との関連で第２の周波数割り当てが第１の周波数割り当てと異なっている異なるアクセス技術を使用する、項目１の方法。
【００８５】
３．第１のＲＡＴおよび第２のＲＡＴは、同じアクセス技術を使用するが、ネットワーク周波数との関連で第２の周波数割り当ては第１の周波数割り当てと異なっている、項目１の方法。
【００８６】
４．割り当て情報は、同期信号についての特有の周波数情報を含む、項目１から３のいずれか１つの方法。
【００８７】
５．割り当て情報は、ネットワーク周波数との関連での同期信号周波数に対する周波数オフセットを含む、項目１から３のいずれか１つの方法。
【００８８】
６．ＲＲＣメッセージは、ＲＡＴ間測定または周波数間測定を設定するＭｅａｓＣｏｎｆｉｇを含むＲＲＣＣｏｎｎｅｃｔｉｏｎＲｅｃｏｎｆｉｇｕｒａｔｉｏｎメッセージである、項目１から５のいずれか１つの方法。
【００８９】
７．ＲＲＣメッセージは、ｒｅｄｉｒｅｃｔｅｄＣａｒｒｉｅｒＩｎｆｏまたはｉｄｌｅＭｏｄｅＭｏｂｉｌｉｔｙＣｏｎｔｒｏｌＩｎｆｏを有するＲＲＣＣｏｎｎｅｃｔｉｏｎＲｅｌｅａｓｅメッセージである、項目１から５のいずれか１つの方法。
【００９０】
８．ＲＲＣメッセージは、ハンドオーバ手順を開始する時に受信される、項目１から７のいずれが１つの方法。
【００９１】
９．ＲＲＣメッセージは、接続解除手順時に受信される、項目１から７のいずれか１つの方法。
【００９２】
１０．ＲＲＣメッセージは、セル再選択情報を含むブロードキャストメッセージである、項目１から７のいずれか１つの方法。
【００９３】
１１．アイドルモードまたは非アクティブモードへの解除の際に時間および周波数を追跡することをさらに含む、項目１から１０のいずれか１つの方法。
【００９４】
１２．同期信号検出を行うことは、同期信号が受信帯域幅に含まれるように同期信号の周波数割り当てに基づいて受信側周波数を変更することと、同期信号を受信帯域幅内で監視することと、同期信号が発見されると該同期信号を復号することとを含む、項目１から１１のいずれか１つの方法。
【００９５】
１３．同期信号検出を行った後に、受信側周波数を決定されたネットワーク周波数に同調させることを含む、項目１から１２のいずれか１つの方法。
【００９６】
１４．同期が成功すると、成功した同期が行われたＲＡＴの同期信号についての割り当て情報を決定することと、ネットワークノード、または該ネットワークノードの隣接するネットワークノードに、成功した同期が行われたＲＡＴの同期信号の割り当て情報についての情報を含む、成功した同期が行われたＲＡＴについての情報を送信することと、をさらに含む、項目１から１３のいずれか１つの方法。
【００９７】
１５．セルラー通信システムにおいて動作するように構成され、第１の無線アクセス技術（ＲＡＴ）を使用して動作する第１の無線アクセスネットワーク（ＲＡＮ）から、第２のＲＡＴを使用して動作する第２のＲＡＮへのモビリティを可能にする無線通信デバイスであって、第１のＲＡＴは第１の割り当てによる同期信号を有し、第２のＲＡＴは第２のＲＡＴに対するネットワーク周波数との関連での第２の周波数割り当てによる同期信号を有し、無線通信デバイスは、トランシーバおよびコントローラを含み、トランシーバは、第２のＲＡＴの同期信号についての割り当て情報を含む無線リソース制御（ＲＲＣ）メッセージを受信するように構成され、コントローラは、トランシーバに、割り当て情報に基づいて同期信号検出を行わせるように構成される、無線通信デバイス。
【００９８】
１６．第１のＲＡＴおよび第２のＲＡＴは、ネットワーク周波数との関連で第２の周波数割り当てが第１の周波数割り当てと異なっている異なるアクセス技術を使用する、項目１５の無線通信デバイス。
【００９９】
１７．第１のＲＡＴおよび第２のＲＡＴは、同じアクセス技術を使用するが、ネットワーク周波数との関連で第２の周波数割り当ては第１の周波数割り当てと異なっている、項目１５の無線通信デバイス。
【０１００】
１８．割り当て情報は、同期信号についての特有の周波数情報を含む、項目１５から１７のいずれか１つの無線通信デバイス。
【０１０１】
１９．割り当て情報は、ネットワーク周波数との関連での同期信号周波数に対する周波数オフセットを含む、項目１５から１７のいずれか１つの無線通信デバイス。
【０１０２】
２０．ＲＲＣメッセージは、ＲＡＴ間測定または周波数間測定を設定するＭｅａｓＣｏｎｆｉｇを含むＲＲＣＣｏｎｎｅｃｔｉｏｎＲｅｃｏｎｆｉｇｕｒａｔｉｏｎメッセージである、項目１５から１９のいずれか１つの無線通信デバイス。
【０１０３】
２１．ＲＲＣメッセージは、ｒｅｄｉｒｅｃｔｅｄＣａｒｒｉｅｒＩｎｆｏまたはｉｄｌｅＭｏｄｅＭｏｂｉｌｉｔｙＣｏｎｔｒｏｌＩｎｆｏを有するＲＲＣＣｏｎｎｅｃｔｉｏｎＲｅｌｅａｓｅメッセージである、項目１５から１９のいずれか１つの無線通信デバイス。
【０１０４】
２２．ＲＲＣメッセージは、ハンドオーバセットアップ手順が開始される時に受信される、項目１５から２１のいずれか１つの無線通信デバイス。
【０１０５】
２３．ＲＲＣメッセージは、接続解除手順時に受信される、項目１５から２１のいずれか１つの無線通信デバイス。
【０１０６】
２４．ＲＲＣメッセージは、セル再選択情報を含むブロードキャストメッセージである、項目１５から２１のいずれか１つの無線通信デバイス。
【０１０７】
２５．同期信号検出が行われる時、アイドルモードまたは非アクティブモードへの解除時に時間および周波数を追跡するようにさらに構成される、項目１５から２４のいずれか１つの無線通信デバイス。
【０１０８】
２６．同期信号が受信帯域幅に含まれるように同期信号の周波数割り当てに基づいてトランシーバの受信側周波数を変更し、同期信号を受信帯域幅内で監視し、同期信号が発見されると、システムネットワークアクセスシグナリング伝送の残りの同期信号を復号するように構成されることによって、同期信号検出を行うように構成される、項目１５から２５のいずれか１つの無線通信デバイス。
【０１０９】
２７．同期信号検出を行った後に、トランシーバの受信側周波数を決定されたネットワーク周波数に同調させるように構成される、項目１５から２６のいずれか１つの無線通信デバイス。
【０１１０】
２８．同期が成功すると、成功した同期が行われたＲＡＴの同期信号についての割り当て情報を決定し、ネットワークノードの隣接するネットワークノードに、成功した同期が行われたＲＡＴの同期信号の割り当て情報についての情報を含む、成功した同期が行われたＲＡＴについての情報を送信するようにさらに構成される、項目１５から２７のいずれか１つの無線通信デバイス。
【０１１１】
２９．第１の無線アクセス技術（ＲＡＴ）を使用して動作する第１の無線アクセスネットワーク（ＲＡＮ）から、第２のＲＡＴを使用して動作する第２のＲＡＮへのモビリティに対するセルラー通信システムのネットワークノードの方法であって、第１のＲＡＴは第１の周波数割り当てによる同期信号を有し、第２のＲＡＴは第２のＲＡＴに対するネットワーク周波数との関連での第２の周波数割り当てによる同期信号を有し、方法は、
第２のＲＡＴの同期信号についての割り当て情報を決定することと、
第２のＲＡＴの同期信号についての割り当て情報を含む無線リソース制御（ＲＲＣ）メッセージを送信することと、を含む、方法。
【０１１２】
３０．第１のＲＡＴおよび第２のＲＡＴは、ネットワーク周波数との関連で第２の周波数割り当てが第１の周波数割り当てと異なっている異なるアクセス技術を使用する、項目２９の方法。
【０１１３】
３１．第１のＲＡＴおよび第２のＲＡＴは、同じアクセス技術を使用するが、ネットワーク周波数との関連で第２の周波数割り当ては第１の周波数割り当てと異なっている、項目２９の方法。
【０１１４】
３２．割り当て情報は、同期信号についての特有の周波数情報を含む、項目２９から３１のいずれか１つの方法。
【０１１５】
３３．割り当て情報は、ネットワーク周波数との関連での同期信号周波数に対する周波数オフセットを含む、項目２９から３１のいずれか１つの方法。
【０１１６】
３４．ＲＲＣメッセージは、ＲＡＴ間測定または周波数間測定を設定するＭｅａｓＣｏｎｆｉｇを含むＲＲＣＣｏｎｎｅｃｔｉｏｎＲｅｃｏｎｆｉｇｕｒａｔｉｏｎメッセージである、項目２９から３３のいずれか１つの方法。
【０１１７】
３５．ＲＲＣメッセージは、ｒｅｄｉｒｅｃｔｅｄＣａｒｒｉｅｒＩｎｆｏまたはｉｄｌｅＭｏｄｅＭｏｂｉｌｉｔｙＣｏｎｔｒｏｌＩｎｆｏを有するＲＲＣＣｏｎｎｅｃｔｉｏｎＲｅｌｅａｓｅメッセージである、項目２９から３３のいずれか１つの方法。
【０１１８】
３６．ＲＲＣメッセージは、ハンドオーバ手順を開始する時に送信される、項目２９から３５のいずれか１つの方法。
【０１１９】
３７．ＲＲＣメッセージは、接続解除手順時に送信される、項目２９から３５のいずれか１つの方法。
【０１２０】
３８．ＲＲＣメッセージは、セル再選択情報を含むブロードキャストメッセージである、項目２９から３５のいずれか１つの方法。
【０１２１】
３９．第２のＲＡＴの同期信号についての割り当て情報を決定することは、セルラー通信システムからシグナリングを通して、第２のＲＡＴについての情報を受信することと、第２のＲＡＴについての情報から、第２のＲＡＴの同期信号の割り当て情報についての情報を抽出することと、を含む、項目２９から３８のいずれか１つの方法。
【０１２２】
４０．第２のＲＡＴの同期信号についての割り当て情報を決定することは、第２のＲＡＴの同期信号についての可能性がある割り当て情報を推定することを含む、項目２９から３９のいずれか１つの方法。
【０１２３】
４１．第２のＲＡＴの同期信号についての割り当て情報を決定することは、セルラー通信ネットワークにおいて動作する他の無線デバイスからシグナリングを通して、第２のＲＡＴについての情報を取得することと、第２のＲＡＴについての情報から、第２のＲＡＴの同期信号の割り当て情報についての情報を抽出することと、を含む、項目２９から４０のいずれか１つの方法。
【０１２４】
４２．セルラー通信システムにおいて動作するように構成され、第１の無線アクセス技術（ＲＡＴ）から第２のＲＡＴへのハンドオーバを支援することが可能なネットワークノードであって、
第２のＲＡＴは、第２のＲＡＴに対するネットワーク周波数との関連での周波数割り当てによる同期信号を有し、ネットワークノードは、トランシーバおよびコントローラを含み、コントローラは、第２のＲＡＴの同期信号についての割り当て情報を決定するように構成され、トランシーバは、第２のＲＡＴの同期信号についての割り当て情報を含む無線リソース制御（ＲＲＣ）メッセージを送信するように構成される、ネットワークノード。
【０１２５】
４３．第１のＲＡＴおよび第２のＲＡＴは、ネットワーク周波数との関連で第２の周波数割り当てが第１の周波数割り当てと異なっている異なるアクセス技術を使用する、項目４２のネットワークノード。
【０１２６】
４４．第１のＲＡＴおよび第２のＲＡＴは、同じアクセス技術を使用するが、ネットワーク周波数との関連で第２の周波数割り当ては第１の周波数割り当てと異なっている、項目４２のネットワークノード。
【０１２７】
４５．割り当て情報は、同期信号の特有のキャリア周波数を含む、項目４２から４４のいずれか１つのネットワークノード。
【０１２８】
４６．割り当て情報は、ネットワーク周波数との関連での同期信号のキャリア周波数に対する周波数オフセットを含む、項目４２から４４のいずれか１つのネットワークノード。
【０１２９】
４７．ＲＲＣメッセージは、ＲＡＴ間測定または周波数間測定を設定するＭｅａｓＣｏｎｆｉｇを含むＲＲＣＣｏｎｎｅｃｔｉｏｎＲｅｃｏｎｆｉｇｕｒａｔｉｏｎメッセージである、項目４２から４６のいずれか１つのネットワークノード。
【０１３０】
４８．ＲＲＣメッセージは、ｒｅｄｉｒｅｃｔｅｄＣａｒｒｉｅｒＩｎｆｏまたはｉｄｌｅＭｏｄｅＭｏｂｉｌｉｔｙＣｏｎｔｒｏｌＩｎｆｏを有するＲＲＣＣｏｎｎｅｃｔｉｏｎＲｅｌｅａｓｅメッセージである、項目４２から４６のいずれか１つのネットワークノード。
【０１３１】
４９．ＲＲＣメッセージは、ハンドオーバ手順を開始する時に送信される、項目４２から４８のいずれか１つのネットワークノード。
【０１３２】
５０．ＲＲＣメッセージは、接続解除手順時に送信される、項目４２から４８のいずれか１つのネットワークノード。
【０１３３】
５１．ＲＲＣメッセージは、セル再選択情報を含むブロードキャストメッセージである、項目４２から４８のいずれか１つのネットワークノード。
【０１３４】
５２．第２のＲＡＴの同期信号についての割り当て情報を決定することは、ネットワークノードのインターフェースが、セルラー通信システムからシグナリングを通して、第２のＲＡＴについての情報を受信するように構成され、コントローラが、第２のＲＡＴについての情報から、第２のＲＡＴの同期信号の割り当て情報についての情報を抽出するように構成されることを含む、項目４２から５１のいずれか１つのネットワークノード。
【０１３５】
５３．第２のＲＡＴの同期信号についての割り当て情報を決定することは、コントローラが、第２のＲＡＴの同期信号についての可能性がある割り当て情報を推定するように構成されることを含む、項目４２から５２のいずれか１つのネットワークノード。
【０１３６】
５４．第２のＲＡＴの同期信号についての割り当て情報を決定することは、トランシーバが、セルラー通信ネットワークにおいて動作する他の無線デバイスからシグナリングを通して、第２のＲＡＴについての情報を取得するように構成され、コントローラが、第２のＲＡＴについての情報から、第２のＲＡＴの同期信号の割り当て情報についての情報を抽出するように構成されることを含む、項目４２から５３のいずれか１つのネットワークノード。
【０１３７】
５５．無線通信デバイスのプロセッサ上で実行される時、無線通信デバイスに、項目１から１４のいずれかによる方法を実行させる命令を含む、コンピュータプログラム。
【０１３８】
５６．ネットワークノードのプロセッサ上で実行される時、ネットワークノードに、項目２９から４１のいずれかによる方法を実行させる命令を含む、コンピュータプログラム。
【図１】
0006978512.tif 000002
【図２】
0006978512.tif 000003
【図３】
0006978512.tif 000004
【図４】
0006978512.tif 000005
【図５】
0006978512.tif 000006
【図６】
0006978512.tif 000007
【図７】
0006978512.tif 000008
【図８】
0006978512.tif 000009
【図９】
0006978512.tif 000010